(57)【特許請求の範囲】
【請求項１】
各々がシャッタ地板に枢着された複数のアームとそれらに枢支された少なくとも１枚の羽根とからなる先羽根及び後羽根と、露光作動時には先羽根用駆動ばねの付勢力によって作動され前記先羽根によって前記露光開口を開かせる先羽根用駆動部材と、露光作動時には後羽根用駆動ばねの付勢力によって作動され前記後羽根によって前記露光開口を閉じさせる後羽根用駆動部材と、露光作動開始直前においては前記各駆動部材を露光作動開始位置に保持し露光作動開始時には所定のタイミングでその保持を解く先羽根用保持手段及び後羽根用保持手段と、初期位置からセット位置へ作動するときには前記後羽根用駆動部材を前記後羽根用駆動ばねの付勢力に抗して作動させ前記後羽根が前記露光開口を全開にした途中位置で一旦停止し撮影時にその途中停止位置から更にセット位置へ向けて作動し前記先羽根用駆動部材を前記先羽根用駆動ばねの付勢力に抗して作動させ前記先羽根が前記露光開口を閉鎖した後には前記各駆動部材の露光作動開始前に前記セット位置から前記初期位置へ復帰するようにしたセット部材と、を備えていることを特徴とするデジタルカメラ用フォーカルプレンシャッタ。
【請求項２】
前記セット部材が、歯車部を有する回転部材であって、その回転をモータによって制御するようにしたことを特徴とする請求項１に記載のデジタルカメラ用フォーカルプレンシャッタ。
【請求項３】
前記セット部材が、前記セット位置から前記初期位置へ復帰するときには、前記初期位置から前記セット位置へ作動するときの逆方向へ作動させられるようにしたことを特徴とする請求項１又は２に記載のでデジタルカメラ用フォーカルプレンシャッタ。
【請求項４】
前記先羽根用保持手段と後羽根用保持手段とが、いずれも、前記各駆動部材に設けられた鉄片部材を吸着する電磁石であることを特徴とする請求項１乃至３の何れかに記載のデジタルカメラ用フォーカルプレンシャッタ。
【請求項５】
前記セット部材が前記初期位置にあるときの前記露光開口の閉鎖状態、前記セット部材が前記途中停止位置にあるときの前記露光開口の全開状態、前記セット部材が前記セット位置にあるときの前記露光開口の閉鎖状態の少なくとも一つを検出するために、少なくとも一つのセンサが設けられていることを特徴とする請求項１乃至４の何れかに記載のデジタルカメラ用フォーカルプレンシャッタ。
【請求項６】
前記の少なくとも一つのセンサが、前記セット部材の作動位置、又は前記モータと前記セット部材との間に設けられた伝達部材の作動位置を検出するようにしたことを特徴とする請求項５に記載のでデジタルカメラ用フォーカルプレンシャッタ。
【発明の詳細な説明】
【０００１】
【発明の属する技術分野】
本発明は、撮影に際して、先羽根と後羽根とを同一方向へ順次作動させ、両者によって形成されたスリットにより、撮像面を露光するようにしたデジタルカメラ用のフォーカルプレンシャッタに関する。
【０００２】
【従来の技術】
デジタルカメラに採用されるフォーカルプレンシャッタには、カメラの仕様によって幾つかのタイプの構成が知られているが、その一つとして、フィルムを用いるカメラに採用されているフォーカルプレンシャッタと同様に、先羽根と後羽根とを備えていて、それらを所定のタイミングで順に作動させ、それらによって形成されるスリットによって、撮像面の一方から他方に向けて、連続的に露光していくようにしたものが知られている。
【０００３】
また、そのような構成のシャッタを用いるデジタルカメラの中には、フィルムを用いるカメラの場合と同様に、光学ファインダを備えていて、撮影が行なわれるとき以外は、撮像面が、先羽根と後羽根の少なくとも一方によって覆われているようにしたものと、電子ビューファインダなどと称されていて、撮影が行なわれるとき以外にも、撮像画枠内の全面を被写体光にさらしておき、モニターによって被写体像を観察できるようにしたものとがある。従って、後者のものは、撮影に際しては、先羽根を撮像面を覆う位置に作動させておいてから、露光作動が行なわれることになる。
【０００４】
更に、フィルムを用いるカメラの場合には、デジタルカメラに比較して、撮像面の面積が大きいのが普通である。また、フィルムを用いるカメラの場合には、必ず光学ファインダを用いているため、光学系の構成やフィルムなどの配置位置の関係から、先羽根と後羽根の各々は、複数枚の羽根で構成されていて、シャッタユニットの小型化を図るようにしている。しかしながら、デジタルカメラであって、特に上記のような電子ビューファインダを備えているものの場合には、先羽根と後羽根の各々を、必ずしも複数枚の羽根で構成する必要がなく、各々１枚で構成されたものも知られている。そして、それらのような観点から構成されているシャッタの一例が、特開平１１−３２６９９２号公報に記載されている。本発明は、この種のシャッタに関するものであって、且つ先羽根と後羽根を、各々複数枚の羽根で構成することも可能なシャッタに関するものである。
【０００５】
【発明が解決しようとする課題】
ところで、本発明で対象としている上記のようなデジタルカメラ用のフォーカルプレンシャッタは、フィルムを使用するカメラに比較して、スペース的に余り制約を受けないため、上記したように、先羽根と後羽根を、夫々１枚の羽根で構成することが可能となっている。しかしながら、シャッタユニット全体が大きくなれば、それに反比例してカメラの設計の自由度が小さくなり、そのシャッタユニットを採用する可能性は少なくなる。従って、先羽根と後羽根を何枚で構成するかは別にしても、少なくともシャッタユニットの全体構成を小型化することは、低コスト化と共に、最大の要求課題となっている。
【０００６】
そこで、そのような観点から、上記の従来例を見てみると、その構成は、地板１の上下方向の寸法を、本質的に大きくせざるを得ないようになっている。即ち、上記の公報の図１の状態においては、後羽根５は先羽根２の位置より上方の位置にあり、露光作動を行なうときには、先羽根２が存在していた位置を通過してから、撮影光路ＡＰを閉鎖していくようになっている。従って、通常のシャッタ構成に比較して、図１に示されているように、後羽根５を収容しているスペースを余分に必要とし、その分だけ地板１の上下寸法を大きくせざるを得なくなっている。
【０００７】
更に、上記の従来例の場合には、先羽根２と後羽根５を、夫々複数枚の羽根で構成しても、より一層の小型化を図ることが不可能である。即ち、例えば、先羽根２と後羽根５とを、夫々２枚の羽根で構成し、夫々の２枚の羽根が完全に重ねられた状態で、図１のように配置すれば、撮影光路ＡＰから上方の寸法は約半分で済むことになる。しかし、そのようにした場合には、先羽根の２枚の羽根は、相互の重なり量が最小限になった状態で、撮影光路ＡＰを閉じた後、更に、それまでと同じ量だけ下方へ作動を行なうことになるので、撮影光路ＡＰの下方の寸法が、２倍必要になってしまうことになり、結局は、地板１の上下寸法は小さくならない。
【０００８】
本発明は、このような問題点を解決するためになされたものであり、その目的とするところは、先羽根と後羽根によって形成されたスリットにより撮像面の露光を行ない、且つ電子ビューファインダを備えたカメラに適用して好適な、小型化に適したデジタルカメラ用フォーカルプレンシャッタを提供することである。
【０００９】
【課題を解決するための手段】
上記の目的を達成するために、本発明のデジタルカメラ用フォーカルプレンシャッタは、各々がシャッタ地板に枢着された複数のアームとそれらに枢支された少なくとも１枚の羽根とからなる先羽根及び後羽根と、露光作動時には先羽根用駆動ばねの付勢力によって作動され前記先羽根によって前記露光開口を開かせる先羽根用駆動部材と、露光作動時には後羽根用駆動ばねの付勢力によって作動され前記後羽根によって前記露光開口を閉じさせる後羽根用駆動部材と、露光作動開始直前においては前記各駆動部材を露光作動開始位置に保持し露光作動開始時には所定のタイミングでその保持を解く先羽根用保持手段及び後羽根用保持手段と、初期位置からセット位置へ作動するときには前記後羽根用駆動部材を前記後羽根用駆動ばねの付勢力に抗して作動させ前記後羽根が前記露光開口を全開にした途中位置で一旦停止し撮影時にその途中停止位置から更にセット位置へ向けて作動し前記先羽根用駆動部材を前記先羽根用駆動ばねの付勢力に抗して作動させ前記先羽根が前記露光開口を閉鎖した後には前記各駆動部材の露光作動開始前に前記セット位置から前記初期位置へ復帰するようにしたセット部材と、を備えているようにする。
【００１０】
また、本発明のデジタルカメラ用フォーカルプレンシャッタにおいては、前記セット部材が、歯車部を有する回転部材であって、その回転をモータによって制御するようにすると、前記途中停止位置での停止と作動開始の制御が簡単に行なえるようになる。
【００１１】
また、本発明のデジタルカメラ用フォーカルプレンシャッタにおいては、前記セット部材が、前記セット位置から前記初期位置へ復帰するときには、前記初期位置から前記セット位置へ作動するときの逆方向へ作動させられるようにすると、前記セット部材が一方方向へだけ作動させられるようにした場合よりも、作動量を少なくすることができる。
【００１２】
また、本発明のデジタルカメラ用フォーカルプレンシャッタにおいては、前記先羽根用保持手段と後羽根用保持手段とが、いずれも、前記各駆動部材に設けられた鉄片部材を吸着する電磁石であるようにすると、構成が簡単になる。
【００１３】
更に、本発明のデジタルカメラ用フォーカルプレンシャッタにおいては、前記セット部材が前記初期位置にあるときの前記露光開口の閉鎖状態、前記セット部材が前記途中停止位置にあるときの前記露光開口の全開状態、前記セット部材が前記セット位置にあるときの前記露光開口の閉鎖状態の少なくとも一つを検出するために、少なくとも一つのセンサが設けられているようにすると、各種の作動位置の確認をすることができ、シャッタの異常作動を的確に把握することが可能になる。
【００１４】
そして、その場合、前記の少なくとも一つのセンサが、前記セット部材の作動位置、又は前記モータと前記セット部材との間に設けられた伝達部材の作動位置を検出するようにすると、機構も簡単になる。
【００１５】
【発明の実施の形態】
本発明の実施の形態を、図示した実施例によって説明する。尚、図１〜４は、何れも被写体側、即ち撮影レンズ側から視て左側の一部のみを示した実施例の平面図である。そして、図１は電源オフ状態又は露光作動終了直後の状態を示したものであり、図２は図１の状態から後羽根群のみがセットされモニターでの観察を可能にした状態を示したものである。また、図３は図２の状態から先羽根群が露光作動開始位置に作動し終わった状態を示したものであり、図４は図３の状態からセット部材が初期位置へ戻った状態、即ち露光作動開始直前の状態を示したものである。更に、図５は実施例の作動を理解し易くするように示したタイミングチャートである。
【００１６】
本実施例は、本発明を、周知のダイレクトタイプのフォーカルプレンシャッタとして構成し、且つ、先羽根と後羽根とは、フィルムを使用するカメラ用のフォーカルプレンシャッタに多く見られるように、夫々、複数枚の羽根を用いたものとして構成している。そこで、先ず、本実施例の構成を、主に図１を用いて説明するが、便宜上、各構成部材の被写体側を表面側と称し、ＣＣＤ等の撮像素子側を背面側と称して説明することにする。
【００１７】
本実施例のシャッタ地板１は、その略中央部に、長方形を横長にした開口部１ａを形成している。しかし、図１はシャッタを被写体側から視て左側の一部だけを示したものであるから、その開口部１ａについても、左側の一部だけが示されている。また、図示していないが、周知のように、シャッタ地板１の背面側には、所定の間隔を空けて、中間板と補助地板が順に取り付けられ、シャッタ地板１と中間板との間に先羽根群の羽根室を形成し、中間板と補助地板との間に後羽根群の羽根室を形成している。そして、中間板と補助地板にも、開口部１ａと類似の開口部が形成されていて、通常は、それらの三つの開口部を重ね合わせて、撮影画枠としての露光開口を規制するようにしているが、本実施例においては、開口部１ａの形状が露光開口を規制しているものとして説明する。
【００１８】
開口部１ａの左側には、円弧状の二つの長孔１ｂ，１ｃが形成されている。そして、それらの上端部には、周知のようにして、平面形状がＣ字状をしたブチルゴム製の緩衝部材２，３を取り付けている。また、シャッタ地板１には、その表面側に、適宜な手段によってプリント配線板４が取り付けられていて、その表面には、共通端子としての銅箔パターン４ａと、先セットスイッチ用の端子としての銅箔パターン４ｂと、後セットスイッチ用の端子としての銅箔パターン４ｃと、初期位置スイッチ用の銅箔パターン４ｄとが形成されている。
【００１９】
また、シャッタ地板１の表面側には、軸１ｄ，１ｅ，１ｆ，１ｇが立設されており、背面側には、軸１ｈ，１ｉ，１ｊ，１ｋが立設されているが、それらのうち、軸１ｄ，１ｈは同軸上に配置され、軸１ｅ，１ｉも同軸上に配置されている。そして、軸１ｄ，１ｅ，１ｆの先端には、外形だけを二点鎖線で示した支持板５が、シャッタ地板１と平行になるようにして取り付けられている。その支持板５には、シャッタ地板１側に、先羽根用電磁石と後羽根用電磁石が取り付けられているが、図１及び図２においては、それらの鉄芯６，７のみを二点鎖線で示してある。また、支持板５の表面側には、図示していないプリント配線板が重ねて取り付けられていて、そこにフラッシュ用のスイッチ（Ｘ接点）が設けられているが、図１〜図４には、それを構成する二つの接片部材８，９が示されている。
【００２０】
シャッタ地板１の軸１ｄには、合成樹脂製の先羽根用駆動部材１０が回転可能に取り付けられていて、図示していない周知の先羽根用駆動ばねによって反時計方向へ回転するように付勢されている。この先羽根用駆動部材１０は、被押動部１０ａ，駆動ピン１０ｂ，取付部１０ｃを有しており、その取付部１０ｃの表面側には、上記の接片部材９を操作するための押動部１０ｄが設けられている。また、背面側に設けられた駆動ピン１０ｂの断面形状は、根元部が円形をし、先端部が小判型をしており、その根元部が上記の緩衝部材２に当接し得るようになっていて、先端部は長孔１ｂを貫通し、シャッタ地板１の背面側に突き出ている。また、取付部１０ｃには、周知のように、図示していないばねを介在させて鉄片部材１１が取り付けられており、上記した先羽根用電磁石の鉄芯６に吸着保持され得るようになっている。
【００２１】
シャッタ地板１の軸１ｅには、合成樹脂製の後羽根用駆動部材１２が回転可能に取り付けられていて、図示していない周知の後羽根用駆動ばねによって反時計方向へ回転するように付勢されている。この後羽根用駆動部材１２は、被押動部１２ａ，駆動ピン１２ｂ，取付部１２ｃを有している。そして、その駆動ピン１２ｂは、上記した駆動ピン１０ｂと同じ形状をしていて、根元部が上記の緩衝部材３に当接し得るようになっており、先端部は長孔１ｃを貫通し、シャッタ地板１の背面側に突き出ている。また、取付部１２ｃには、周知のようにして、ばねを介在させることによって鉄片部材１３が取り付けられており、上記した後羽根用電磁石の鉄芯７に吸着保持され得るようになっている。
【００２２】
シャッタ地板１の軸１ｆには、合成樹脂製のセット部材１４が回転可能に取り付けられている。このセット部材１４には、周辺部にカム形状を施した二つの押動部１４ａ，１４ｂが形成されており、背面側には歯車部１４ｃが形成されている。そのうち、二つの押動部１４ａ，１４ｂは、押動部１４ａの方が、押動部１４ｂよりもシャッタ地板１側に形成されていて、セット部材１４が回転したとき、先羽根用駆動部材１０や後羽根用駆動部材１２の取付部１２ｃなどに干渉せず、後羽根用駆動部材１２の背面側に設けられた被押動部１２ａを押せるようになっている。
【００２３】
シャッタ地板１の軸１ｇには、歯車１５が回転可能に取り付けられていて、セット部材１４の歯車部１４ｃと噛合している。この歯車１５は、合成樹脂製であって、背面側には二つの接片部材１６，１７を取り付けており、接片部材１６は、プリント配線板４の二つの銅箔パターン４ａ，４ｂを電気的に接続させ得るようになっていて、接片部材１７は、二つの銅箔パターン４ａ，４ｃ又は二つの銅箔パターン４ａ，４ｄを電気的に接続させ得るようになっている。また、本実施例の場合には、この歯車１５は、図示していないモータによって往復回転させられるようになっている。
【００２４】
次に、シャッタ地板１の背面側に取り付けられている先羽根と後羽根の構成を説明する。尚、既に述べたように、本実施例においては、先羽根も後羽根も、複数枚の羽根を有している。このような場合、通常は、先羽根及び後羽根を、先羽根群及び後羽根群と称するのが普通である。従って、本実施例の説明においては、以下、先羽根群及び後羽根群と称することにする。そこで、先ず、先羽根群は、シャッタ地板１の軸１ｈ，１ｊに回転可能に取り付けられた二つのアーム１８，１９と、それらの長さ方向に順に枢支された５枚の羽根２０，２１，２２，２３，２４とで構成されていて、最先端に枢支された羽根２４がスリット形成羽根となっている。そして、この先羽根群の一方のアーム１８には、周知の長孔が形成されており、そこに、上記した先羽根用駆動部材１０の駆動ピン１０ｂが嵌合している。
【００２５】
他方、後羽根群は、構成が先羽根群と全く同じであるが、先羽根群を裏返した状態で、図示していない中間板と補助地板の間に配置されている。そして、その後羽根群は、シャッタ地板１の軸１ｉ，１ｋに回転可能に取り付けられた二つのアーム２５，２６と、それらの長さ方向に順に枢支された４枚の羽根２７，２８，２９，３０とで構成されていて、最先端に枢支された羽根３０がスリット形成羽根となっている。そして、アーム２５に形成された周知の長孔には、後羽根用駆動部材１２の駆動ピン１２ｂが嵌合している。
【００２６】
次に、上記の構成の各作動状態を示した図１〜図４と、タイミングチャートを示した図５を用いて本実施例の作動を説明する。図１は、カメラを使用していない電源オフの状態と、露光作動終了直後の状態との両方に共通するものである。しかし、最初の段階においては、前者の状態にあるものとして説明する。また、本実施例のフォーカルプレンシャッタは、電子ビューファインダを採用したカメラに用いられる。そのため、撮影をするとき以外は、開口部１ａを全開状態としておくのが自然である。しかし、本実施例においては、電源がオフのときには、開口部１ａを、後羽根群の４枚の羽根２７〜３０で覆い、撮像素子の光電変換性能の劣化を抑制できるようにしている。
【００２７】
このような図１の状態において、電源をオンにすると、接片部材１７が二つの銅箔パターン４ａ，４ｄに接触しているので、初期位置スイッチがオン状態となる。そして、そのオン状態になってから所定の時間後に、図示していないモータが正方向へ回転し、それによって、歯車１５を時計方向へ回転させる。そのため、初期位置スイッチは直ちにオフ状態にさせられると共に、セット部材１４は、反時計方向へ回転され、その押動部１４ａが後羽根用駆動部材１２の被押動部１２ａに当接した後は、後羽根用駆動部材１２を図示していない後羽根用駆動ばねの付勢力に抗して時計方向へ回転させる。その結果、後羽根用駆動部材１２の駆動ピン１２ｂが後羽根群のアーム２５を時計方向へ回転させるので、後羽根群の羽根２７〜３０は、重畳されつつ下方へ作動され、スリット形成羽根３０のスリット形成縁によって開口部１ａを開いていく。
【００２８】
そして、開口部１ａが全開になった直後には、歯車１５の接片部材１７が二つの銅箔パターン４ａ,４ｃを短絡し、後セットスイッチをオン状態にする。図５においては、この時点を矢印Ａで示してある。また、このように、後セットスイッチがオン状態になると、その信号によってモータの回転が停止し、セット部材１４の回転が停止される。その状態が図２に示されているが、セット部材１４にとっては、この停止位置は、セット作動の途中の位置であって、その押動部１４ｂは、未だ先羽根用駆動部材１０の被押動部１０ａを押し始めていない。他方、後羽根用駆動部材１２は、この状態になる直前に、鉄片部材１３を後羽根用電磁石の鉄芯７に接触させていて、被押動部１２ａは、セット部材１４の押動部１４ａの周面と接触している。そして、鉄片部材１３の周知の取付け構成によって、鉄芯７に対する鉄片部材１３の接触関係が良好に保たれている。また、このような図２の状態において、モニターによる被写体の観察が可能となる。
【００２９】
撮影を行なう場合には、この図２の状態において、カメラのレリーズボタンを押す。そうすると、その信号によってモータが正方向への回転を再開し、セット部材１４を反時計方向へ回転させる。そのため、その押動部１４ｂが先羽根用駆動部材１０の被押動部１０ａを押し、先羽根用駆動部材１０を図示していない先羽根用駆動ばねの付勢力に抗して時計方向へ回転させる。その結果、先羽根用駆動部材１０の駆動ピン１０ｂが先羽根群のアーム１８を時計方向へ回転させるので、先羽根群の羽根２０〜２４は、展開されつつ下方へ作動され、スリット形成羽根２４のスリット形成縁によって開口部１ａを閉じていく。
【００３０】
また、その間、セット部材１４の押動部１４ａは、その周面が後羽根用駆動部材１２の被押動部１２ａに摺接するだけであって、後羽根用駆動部材１２を回転させないため、後羽根群の羽根２７〜３０は、開口部１ａの下方位置に格納されたままとなっている。更に、先羽根用駆動部材１０が回転されていく過程において、押動部１０ｄが、接片部材９の押圧を解いていくので、フラッシュ用スイッチを構成している二つの接片部材８，９がオフ状態にさせられる。
【００３１】
その後、開口部１ａが閉鎖されると、その直後に、歯車１５の接片部材１６が二つの銅箔パターン４ａ,４ｂを短絡し、先セットスイッチをオン状態にする。図５においては、この時点を矢印Ｂで示してある。そして、先セットスイッチがオン状態になると、その信号によってモータが停止し、セット部材１４の回転が停止される。セット部材１４にとっては、その停止位置がセット位置であり、そのときの状態が図３に示されている。また、先羽根用駆動部材１０は、この状態になる直前に、鉄片部材１１を先羽根用電磁石の鉄芯６に接触させていて、この状態においては、被押動部１０ａを、セット部材１４の押動部１４ｂの周面に接触させている。従って、周知の構成によって、鉄芯６に対する鉄片部材１１の接触関係が良好に保たれている。
【００３２】
他方、上記のようにして先セットスイッチがオン状態になると、その信号によって、先羽根用電磁石と後羽根用電磁石に通電され、鉄芯６，７が、接触状態となっていた鉄片部材１１，１３を吸着保持し、同時に、露光時間制御回路の作動も開始する。更に、先セットスイッチがオン状態になると、上記の鉄片部材１１，１３の吸着保持後に、矢印Ｃで示した時機からモータを逆方向へ回転させる。そのため、セット部材１４は、図３の状態から時計方向へ回転し、途中で停止することなく初期位置へ復帰する。その復帰状態が図４に示されている。
【００３３】
このようにしてセット部材１４が初期位置へ復帰する過程において、最初に、押動部１４ｂが先羽根用駆動部材１０の被押動部１０ａから退き、次に、押動部１４ａが後羽根用駆動部材１２の被押動部１２ａから退いていくので、先セットスイッチと後セットスイッチとが順にオフ状態にさせられ、また、既に夫々の鉄片部材１１，１３が鉄芯６，７に吸着保持されているので、各駆動部材１０，１２は、図４の状態を維持される。そして、この状態が、各駆動部材１０，１２及び各羽根群にとっての露光作動開始位置である。また、モータの逆方向への回転の停止時機は、初期位置スイッチがオン状態になったときである。その場合、初期位置スイッチは図１の状態と同じになるが、フラッシュ用スイッチがオフ状態となっていることで、図１の状態とは異なることを識別する。
【００３４】
セット部材１４が、このようにして初期位置へ復帰した後、上記の露光時間制御回路によって、先ず、先羽根用電磁石に対する通電が断たれる。そのため、鉄芯６による鉄片部材１１の吸着力が失われ、先羽根用駆動部材１０が、図示していない強力な先羽根用駆動ばねの付勢力によって反時計方向へ回転される。それによって、先羽根用駆動部材１０の駆動ピン１０ｂが、先羽根群のアーム１８を図４の状態から反時計方向へ回転させるので、先羽根群の５枚の羽根２０〜２４は上方へ作動し、スリット形成羽根２４の下側の縁であるスリット形成縁によって、開口部１ａを開いていく。その後、スリット形成羽根２４のスリット形成縁が、開口部１ａを完全に全開にした段階になると、先羽根用駆動部材１０の押動部１０ｄが接片部材９を接片部材８に接触させ、フラッシュを発光させる。そして、その直後に、駆動ピン１０ｂが緩衝部材２に当接することによって、先羽根用駆動部材１０と先羽根群の露光作動が終了する。
【００３５】
このようにして、フラッシュが発光した後、露光時間制御回路によって、後羽根用電磁石に対する通電が断たれる。そのため、鉄芯７による鉄片部材１３の吸着力が失われ、後羽根用駆動部材１２が、図示していない強力な後羽根用駆動ばねの付勢力によって反時計方向へ回転される。それによって、後羽根用駆動部材１２の駆動ピン１２ｂが、後羽根群のアーム２５を反時計方向へ回転させるので、後羽根群の４枚の羽根２７〜３０は上方へ作動し、スリット形成羽根３０の上側の縁であるスリット形成縁によって、開口部１ａを閉じていく。そして、４枚の羽根２７〜３０が展開状態となって開口部１ａを完全に閉じると、駆動ピン１２ｂが緩衝部材３に当接することによって、後羽根用駆動部材１２と後羽根群の露光作動が終了する。
【００３６】
しかしながら、上記のような露光作動はフラッシュ撮影の場合である。周知のように、フラッシュ撮影を行なわないときには、殆どの場合、先羽根群の露光作動が終了する前に、後羽根用電磁石に対する通電を断たれるのが普通であって、その場合には、二つのスリット形成羽根２４，３０によって形成されるスリットにより、撮像面が連続的に露光されていくことになる。そして、図１は、そのようにして露光作動が終了した直後の状態を示したものでもある。
【００３７】
このような露光作動が終了して、被写体の画像情報が記憶装置に転送されると、その転送終了信号によってモータが正方向へ回転される。即ち、作動説明の冒頭で述べたように、電源をオンし、初期位置スイッチをオン状態にしてから所定時間後に、モータが正方向へ回転させられたときと同じ作動が行なわれるわけである。その結果、セット部材１４は、図２に示した位置で停止され、再び被写体を観察することが可能となる。従って、次の撮影が行なわれた場合には、これまで説明したようにして露光作動が行なわれる。しかし、もはや、撮影はしないし、モニターも使用しないというときには、電力消費を避けるために、電源をオフすることになる。
【００３８】
図５には、そのように電源をオフした時点が示されていて、その場合におけるモータの回転方向を破線で示し、セット部材１４と後羽根群の作動を破線の矢印で示してある。即ち、電源をオフすると、モータは逆方向へ回転させられ、セット部材１４が、図２の状態から時計方向へ回転させられ、図１の初期位置へ復帰させられる。そのため、後羽根用駆動部材１２は、その被押動部１２ａからセット部材１４の押動部１４ａが離れるのに伴い、図示していない後羽根用駆動ばねの付勢力によって反時計方向へ回転される。従って、後羽根群の４枚の羽根２７〜３０も、駆動ピン１２ｂによって作動され、開口部１ａを閉じて図１の状態に復帰する。
【００３９】
尚、上記の実施例においては、セット部材１４をモータで回転させているが、本発明は、必ずしもモータを駆動源にしたものに限定されない。従って、セット部材１４も、回転部材には限定されない。また、実施例においては、セット部材１４を、セット位置から初期位置へ復帰させるとき、セット部材１４を時計方向へ回転させている。しかし、二つの駆動部材１０，１２とセット部材１４との形状を変えることによって、反時計方向へ回転させるようにすることも可能である。但し、そのようにしたとしても、電源をオフし、途中停止位置から初期位置へ復帰させる場合には、時計方向へ回転させる方が有利であることは言うまでもない。
【００４０】
また、実施例においては、接片部材１６，１７を、歯車１５に取り付けているが、それらをセット部材１４の背面側に取り付け、プリント配線板４をそれらと対向する位置でシャッタ地板１に取り付けても構わない。しかも、本発明における位置センサは、このような機械的な構成に限定されず、周知の光学的なセンサであっても、磁気的なセンサであっても差し支えない。更に、実施例の図面には、セット部材１４を回転させるためのモータが示されていないが、そのモータを、シャッタユニットに組み付けるようにしても構わない。そして、そのようにする場合には、モータの回転軸が、軸１ｆや軸１ｇの位置にあるようにし、セット部材１４や歯車１５を、その出力軸に取り付けるようにしても差し支えない。
【００４１】
また、カメラ用フォーカルプレンシャッタには、露光作動開始直前の状態において、先羽根用駆動部材と後羽根用駆動部材とを露光作動開始位置に保持する機構として、ダイレクトタイプと称されているものと係止タイプと称されているものとが知られている。そして、上記の実施例は、ダイレクトタイプのシャッタとして構成したものであるが、本発明は、そのようなダイレクトタイプのものに限定されず、係止タイプのものにも適用が可能である。
【００４２】
【発明の効果】
以上のように、本発明は、先羽根と後羽根によって形成されたスリットにより撮像面の露光を行なう形式の電子ビューファインダを備えたデジタルカメラ用のフォーカルプレンシャッタであるにもかかわらず、従来よりも、先羽根と後羽根の作動量を少なくし、小型化を可能にした点で優れている。また、通常のフォーカルプレンシャッタの構成を大きく変えたり、構成を複雑にしたりする必要もないので、製作上も極めて有利である。
【図面の簡単な説明】
【図１】被写体側、即ち撮影レンズ側から視て左側の一部を示した実施例の平面図であって、電源オフ状態又は露光作動終了直後の状態を示したものである。
【図２】図１と同様にして視た実施例の平面図であって、図１の状態から後羽根のみがセットされ、モニターでの観察を可能にした状態を示したものである。
【図３】図１と同様にして視た実施例の平面図であって、図２の状態からカメラのレリーズが行なわれた後、先羽根群が露光作動開始位置に作動し終わった状態を示したものである。
【図４】図１と同様にして視た実施例の平面図であって、図３の状態からセット部材が初期位置へ戻った状態、即ち露光作動開始直前の状態を示したものである。
【図５】実施例の作動を理解し易くするように示したタイミングチャートである。
【符号の説明】
１                      シャッタ地板
１ａ                    開口部
１ｂ，１ｃ              長孔
１ｄ，１ｅ，１ｆ，１ｇ，１ｈ，１ｉ，１ｊ，１ｋ  軸
２，３                  緩衝部材
４                      プリント配線板
４ａ，４ｂ，４ｃ，４ｄ  銅箔パターン
５                      支持板
６，７                  鉄芯
８，９，１６，１７      接片部材
１０                    先羽根用駆動部材
１０ａ，１２ａ          被押動部
１０ｂ，１２ｂ          駆動ピン
１０ｃ，１２ｃ          取付部
１０ｄ，１４ａ，１４ｂ  押動部
１１，１３              鉄片部材
１２                    後羽根用駆動部材
１４                    セット部材
１４ｃ                  歯車部
１５                    歯車
１８，１９，２５，２６  アーム
２０，２１，２２，２３，２４，２７，２８，２９，３０  羽根
【図１】
0004413389.tif 000002
【図２】
0004413389.tif 000003
【図３】
0004413389.tif 000004
【図４】
0004413389.tif 000005
【図５】
0004413389.tif 000006